(57)【要約】      （修正有）【課題】顔の異なる複数種類のマスコットを低コストで量産することができる構造を有するマスコットを提供する。【解決手段】マスコット１は、頭部４の所定の位置に第１の凹部を有し、型成形されたマスコット本体２と、第１の凹部に嵌着され、顔の絵又は写真が表面に印刷された顔板部材３とを有する。顔板部材３は、芸能グループの各メンバーの顔の絵又は写真が表面に印刷される。マスコット本体２は、芸能グループで共通の形態を有し、１つの型で成形することができる。【選択図】図１
0003232401.tif 000002
【実用新案登録請求の範囲】
【請求項１】
頭部の所定の位置に第１の凹部を有し、型成形されたマスコット本体と、
前記第１の凹部に嵌着され、顔の絵又は写真が表面に印刷された顔板部材と
を具備するマスコット。
【請求項２】
請求項１に記載のマスコットであって、
前記マスコット本体は、前記第１の凹部の底部に上下又は左右が非対称な第２の凹部を有し、
前記顔板部材は、前記第２の凹部と同形状で前記第２の凹部に嵌着される凸部を裏面に有し、
前記第１の凹部と前記顔板部材との間に介在する接着剤をさらに有する
マスコット。
【請求項３】
請求項１又は２に記載のマスコットであって、
前記顔板部材は、前記表面が曲面形状をなし、当該表面に前記顔の絵又は写真がＵＶ印刷された
マスコット。
【請求項４】
請求項１乃至３のうちいずれか一項に記載のマスコットであって、
前記マスコット本体は、前記頭部に目と鼻を有し、前記頭部の口の位置に前記第１の凹部を有する
マスコット。
【請求項５】
請求項１乃至４のうちいずれか一項に記載のマスコットであって、
前記マスコット本体は、前記頭部より小さい胴体部を有し、
前記顔板部材は、表面の全面に前記顔の絵又は写真が印刷され、
前記胴体部の前記顔板部材の表面側から見た面積は、前記顔板部材の表面の面積とほぼ等しい
マスコット。
【請求項６】
請求項１乃至５のうちいずれか一項に記載のマスコットであって、
前記顔板部材は、芸能グループの各メンバーの顔の絵又は写真が表面に印刷され、又はスポーツチームの各選手の顔の絵又は写真が表面に印刷され、
前記マスコット本体は、前記芸能グループで共通の形態を有し、又は前記スポーツチームで共通の形態を有する
マスコット。
【考案の詳細な説明】
【技術分野】
【０００１】
本考案は、マスコットに関する。
【背景技術】
【０００２】
人形や動物などのマスコットは合成樹脂などを材料として用いて型により成形することが知られている。
【０００３】
しかし、芸能グループのアイドルものの、このようなマスコットを作る場合には、アイドルのメンバーが１０人いたら、１０個の型を作った上で、全てを量産しなければいけなかった。この場合に、例えばアイドルの人気の大小ばかりでなく、メンバー１０人のなかでも人気の大小がある。従って、需要にばらつきもあり、メンバーごとに型を製作したのでは、コストアップの原因となる。
【０００４】
例えば、特許文献１には、型によって成形された人形体の顔部に、顔の絵や写真を印刷した顔フィルム貼り付ける技術が開示されている。この技術を上記のアイドルもののマスコットに適用すれば、１つの型でも対応可能である。
【先行技術文献】
【特許文献】
【０００５】
【特許文献１】特開２００４−２６１６２０号公報（特に段落０００５及び図１０など）
【考案の概要】
【考案が解決しようとする課題】
【０００６】
しかしながら、客が店頭で撮影した写真をマスコットの顔とするように、たかだか１個程度のマスコットを制作するような場合にはフィルムを張り付ける手間は問題にならないが、量産する場合にはそのような手間はコストアップの原因となる。
以上のような事情に鑑み、本考案の目的は、顔の異なる複数種類のマスコットを低コストで量産することができる構造を有するマスコットを提供することにある。
【課題を解決するための手段】
【０００７】
上記目的を達成するため、本考案の一形態に係るマスコットは、頭部の所定の位置に第１の凹部を有し、型成形されたマスコット本体と、前記第１の凹部に嵌着され、顔の絵又は写真が表面に印刷された顔板部材とを具備する。
【０００８】
本考案の一形態に係るマスコットでは、前記マスコット本体は、前記第１の凹部の底部に上下又は左右が非対称な第２の凹部を有し、前記顔板部材は、前記第２の凹部と同形状で前記第２の凹部に嵌着される凸部を裏面に有し、前記第１の凹部と前記顔板部材との間に介在する接着剤をさらに有する。
本考案の一形態に係るマスコットでは、前記顔板部材は、前記表面が曲面形状をなし、当該表面に前記顔の絵又は写真がＵＶ印刷されている。
【０００９】
本考案の一形態に係るマスコットでは、前記マスコット本体は、前記頭部に目と鼻を有し、前記頭部の口の位置に前記第１の凹部を有する。
本考案の一形態に係るマスコットでは、前記マスコット本体は、前記頭部より小さい胴体部を有し、前記顔板部材は、表面の全面に前記顔の絵又は写真が印刷され、前記胴体部の前記顔板部材の表面側から見た面積は、前記顔板部材の表面の面積とほぼ等しい。
【００１０】
本考案の一形態に係るマスコットでは、前記顔板部材は、芸能グループの各メンバーの顔の絵又は写真が表面に印刷され、又はスポーツチームの各選手の顔の絵又は写真が表面に印刷され、前記マスコット本体は、前記芸能グループで共通の形態を有し、又は前記スポーツチームで共通の形態を有する。
【考案の効果】
【００１１】
本考案により、顔の異なる複数種類のマスコットを低コストで量産することができる。
【図面の簡単な説明】
【００１２】
【図１】本考案の一実施形態に係るマスコットを斜め上方向から写した写真である。
【図２】本考案の一実施形態に係るマスコットを正面から写した写真である。
【図３】本考案の一実施形態に係る顔板部材の取付け前のマスコットを正面から写した写真である。
【図４】本考案の一実施形態に係る顔板部材の表面を正面から写した写真である。
【図５】本考案の一実施形態に係る顔板部材の裏面を正面から写した写真である。
【考案を実施するための形態】
【００１３】
以下、図面を参照しながら、本考案の実施形態を説明する。  
本考案の一実施形態に係るマスコットの構成を図１及び図２を参照して説明する。  
図１及び図２に示すように、マスコット１は、マスコット本体２と、顔の絵又は写真が表面に印刷された顔板部材３とを有する。顔板部材３は、典型的には芸能グループの各メンバーの顔の絵又は写真が表面に印刷される。マスコット本体２は、典型的には芸能グループで共通の形態を有し、１つの型で成形することができる。なお、顔板部材３にはスポーツチームの各選手の顔の絵又は写真が表面に印刷され、マスコット本体２は、スポーツチームで共通の形態を有するようにしてもよい。ただし、本考案はこのような顔や形態に限定されるものではない。
【００１４】
マスコット本体２は、例えばパンダをマスコット化した形態を有する。マスコット化とは、パンダ実物の形態というよりも例えば頭部４の大きさと胴体部５の大きさのバランスをより愛玩化するために実物とは異なるようしたものをいう。本実施形態では、マスコット本体２は頭部４より小さい胴体部５を有する。しかし、本考案は当該実施形態には限定されない。例えばマスコット本体２はパンダでなく、他の動物でもよいし、動物でなく、人間などであってもよい。また、頭部４の大きさと胴体部５の大きさのバランスを実物に近づけてもよい。マスコット本体２は、立体であってもよく、またある程度厚みを有する平面的なものであってもよい。
【００１５】
図３に示すように、マスコット本体２は、頭部４の所定の位置、例えばパンダの口の位置に第１の凹部６を有する。顔板部材３に印刷された顔はパンダの口の位置に配置される。上記のように、マスコット本体２は、頭部４より小さい胴体部５を有するが、顔板部材３は表面の全面に顔の絵又は写真が印刷され、胴体部５の顔板部材３の表面側から見た面積は、顔板部材３の表面の面積とほぼ等しい。つまり、顔板部材３に印刷された顔がマスコット１全体で占める割合が大きい。
【００１６】
顔板部材３に印刷された顔は勿論口の位置でなくてもよいが、口の位置に顔板部材３に印刷された顔を有し、顔板部材３に印刷された顔がマスコット１全体で占める割合を大きくすることで、顔板部材３に印刷された「顔」の存在を高めることができる。
【００１７】
図４に示すように、顔板部材３は、典型的にはプラスチック製であり、その外周形状が第１の凹部６とほぼ等しく、第１の凹部６に嵌着される。顔板部材３は、表面が曲面形状をなし、当該表面に前記顔の絵又は写真がＵＶ印刷されている。曲面形状とすることで、表面に印刷された顔をよりリアルに表現できる。ＵＶ印刷により曲面形状の表面に対する印刷を容易にできる。マスコット本体２をマスコット化する一方で、顔板部材３に印刷された顔の存在を高め、さらに表面に印刷された顔をよりリアルに表現することで、マスコット１における顔板部材３の「顔」の存在をされに高めることができる。従って、マスコット本体２を例えば芸能グループで共通の形態としても、芸能グループの特定のメンバーの特別なものとしての所有感を与えることができる。しかし、本考案では、当該実施形態には限定されず、顔板部材３はプラスチック以外の他の材料を用いてもよいし、製顔板部材３は表面が曲面形状でなくてもよく、また表面の印刷はＵＶ印刷でなくてもよい。
【００１８】
図３に示すように、マスコット本体２は、第１の凹部６の底部にその上面から見て例えば台形状の第２の凹部７を有する。台形状は、例えば上辺の長さが底辺の長さよりも短い形状である。図５に示すように、顔板部材３は、第２の凹部７に嵌着される台形状の凸部８を裏面に有する。
【００１９】
顔板部材３は、顔板部材３の凸部８にマスコット本体２の第２の凹部７が嵌着するようにして、マスコット本体２の第１の凹部６に嵌着される。その際に、マスコット本体２の第１の凹部６や第２の凹部７及び／又は顔板部材３の裏面や凸部８に接着剤（図示せず）を塗布する。これにより、第１の凹部６と顔板部材３との間に接着剤が介在することになる。本考案でいう嵌着とは、顔板部材３をマスコット本体２の第１の凹部６に挿入したときに、ある程度嵌まる、例えば挿入後も簡単に顔板部材３の取り外しができる程度の装着状態が典型的であるが、嵌合のような装着状態や逆にかなり緩めの装着状態も含む趣旨である。従って、本考案は上記の接着剤が必要ない場合も含む。
【００２０】
本実施形態に係るマスコット１では、マスコット本体２の第２の凹部及び顔板部材３の凸部８を台形状にすることで、顔板部材３の上下が逆さまになって顔板部材３がマスコット本体２に取り付けられることを防止できる。従って、マスコット本体２の第２の凹部７及び顔板部材３の凸部８を台形状に限定されず、第２の凹部７は上下等において非対称な形状で、凸部８が第２の凹部７と同形状であればよい。しかし、本考案は、マスコット本体２の第２の凹部７及び顔板部材３の凸部８の形状を特に限定するものではない。
【００２１】
本考案に係るマスコット１は、頭部４の所定の位置に第１の凹部６を有し、型成形されたマスコット本体２と、第１の凹部６に嵌着され、顔の絵又は写真が表面に印刷された顔板部材３とを有するので、例えば１つの芸能グループについて１つの型で多数のマスコット本体２を成形し、表面に当該芸能グループの各メンバーの顔が印刷された顔板部材３をメンバーごとに必要な数だけ準備し、各マスコット本体２の第２の凹部７に各顔板部材３を嵌着すること各メンバーについて必要な数だけ製作できる。従って、顔の異なる複数種類のマスコット１を低コストで量産することができる。
【００２２】
なお、本考案は上記の実施形態には限定されない。本考案は、その技術思想の範囲内で様々に変形又は応用して実施することができる。そのような実施の範囲も本考案の技術的範囲に属する。
【符号の説明】
【００２３】
１  マスコット
２  マスコット本体
３  顔板部材
４  頭部
５  胴体部
６  第１の凹部
７  第２の凹部
８  凸部
【図１】
0003232401.tif 000003
【図２】
0003232401.tif 000004
【図３】
0003232401.tif 000005
【図４】
0003232401.tif 000006
【図５】
0003232401.tif 000007